(57)【要約】【課題】解体時に上面側フラップと底面側フラップとを容易に切り離すことができる薄葉紙収納箱を提供する。【解決手段】薄葉紙収納箱１０Ａは、取出し口１６を有する上面部１１、底面部１２、一対の側面部１３、一対の妻面部１４、上面部１１の側端縁から延出された上面側フラップ２１、底面部１２の側端縁から延出された底面側フラップ２２、および底面側フラップ２２に下向きに円弧状に形成された破断用切込線Ｌ１を有し、上面部１１、底面部１２、一対の側面部１３、および一対の妻面部１４により六面体状に形成され、妻面部１４は、上面側フラップ２１および底面側フラップ２２が重畳するようにそれぞれ折り曲げられることにより形成された薄葉紙収納箱において、下向きに円弧状に形成された破断用切込線Ｌ１は、下向きに円弧状に形成されている箇所から上面部１１側に向かって末広がりに延伸している延伸切込線を有する。【選択図】図１
2018154381.tif 000002
【特許請求の範囲】
【請求項１】
取出し口を有する上面部、底面部、一対の側面部、一対の妻面部、前記上面部の側端縁から延出された上面側フラップ、前記底面部の側端縁から延出された底面側フラップ、および前記底面側フラップに下向きに円弧状に形成された破断用切込線を有し、
前記上面部、底面部、一対の側面部、および一対の妻面部により六面体状に形成され、
前記妻面部は、前記上面側フラップおよび前記底面側フラップが重畳するようにそれぞれ折り曲げられることにより形成された薄葉紙収納箱において、
前記下向きに円弧状に形成された破断用切込線は、下向きに円弧状に形成されている箇所から前記上面部側に向かって末広がりに延伸している延伸切込線を有することを特徴とする薄葉紙収納箱。
【請求項２】
前記延伸切込線は、前記上面部側に向かって上向きに凸状に湾曲して形成されている請求項１に記載の薄葉紙収納箱。
【請求項３】
前記延伸切込線は、前記底面側フラップの上端部まで延びている請求項１または２に記載の薄葉紙収納箱。
【請求項４】
前記延伸切込線は、前記底面側フラップの側面側端部まで延びている請求項１または２に記載の薄葉紙収納箱。
【発明の詳細な説明】
【技術分野】
【０００１】
本発明は、薄葉紙収納箱に関する。
【背景技術】
【０００２】
ティシュペーパーなどの薄葉紙は、薄葉紙収納箱の内部空間に収納されており、薄葉紙収納箱の内部空間に収納された薄葉紙は、薄葉紙収納箱の上面部などに設けられた取出し口から取り出されて使用される。
【０００３】
薄葉紙収納箱は、通常、直方体状の紙製の箱であるため、薄葉紙収納箱を使用後そのままの状態で廃棄すると嵩張ってしまう。そのため、薄葉紙収納箱は解体して扁平に潰した状態で廃棄することが望ましい。
【０００４】
薄葉紙収納箱の一対の側面は、一般に、上面側フラップおよび底面側フラップで形成されている。そして、底面側フラップには、薄葉紙収納箱が解体しやすいように、ミシン目により形成された破断用切込線が設けられている。薄葉紙収納箱の解体時には、破断用切込線の内側の領域（上面側フラップと破断用切込線との間の領域）に指を押し込んで破断用切込線の一部を破断した後、上面側フラップを引き上げて、残りの破断用切込線を破断する。これにより、上面側フラップと糊付けなどで接着された底面側フラップが上面側フラップから切り離され、薄葉紙収納箱の一対の側面が開口する。そして、薄葉紙収納箱を筒状とすることにより、薄葉紙収納箱を折り畳める状態としている（例えば、特許文献１、２参照）。
【０００５】
薄葉紙収納箱を解体する方法として、例えば、特許文献１には、接着剤の付着箇所を外フラップの一箇所のみとして、内フラップと外フラップとを局部的に接合し、接着剤の付着量を減少させたテッシュペーパー収納箱が提案されている。このテッシュペーパー収納箱では、薄葉紙収納箱の解体時に内フラップと外フラップとを接着する接着剤が剥がしやすいため、容易に薄葉紙収納箱を解体できる。
【０００６】
また、特許文献２には、衛生用紙収納用カートンの一方のフラップに形成された解体用切込線を破断した後、他方のフラップを持ち上げて、衛生用紙収納用カートンを解体する方法などが提案されている。
【先行技術文献】
【特許文献】
【０００７】
【特許文献１】特許第４１４２２３８号公報
【特許文献２】特開２０１０−１６８０９５号公報
【発明の概要】
【発明が解決しようとする課題】
【０００８】
しかしながら、従来の技術では、薄葉紙収納箱の側面を構成する上面側フラップと底面側フラップとを切り離す際、上面側フラップを底面側フラップから切り離すために上面側フラップを引き上げる方向と破断用切込線の破断方向とが略直交している。そのため、上面側フラップを引き上げる力が破断用切込線に伝わり難い場合がある。
【０００９】
特に、高齢者などのように力の弱い人の場合は大きな力を出すことができないので、薄葉紙収納箱の解体に困難を伴う場合がある。
【００１０】
本発明の一態様は、解体時に上面側フラップと底面側フラップとを容易に切り離すことができる薄葉紙収納箱を提供することを目的とする。
【課題を解決するための手段】
【００１１】
本発明の第１の態様による薄葉紙収納箱は、取出し口を有する上面部、底面部、一対の側面部、一対の妻面部、前記上面部の側端縁から延出された上面側フラップ、前記底面部の側端縁から延出された底面側フラップ、および前記底面側フラップに下向きに円弧状に形成された破断用切込線を有し、前記上面部、底面部、一対の側面部、および一対の妻面部により六面体状に形成され、前記妻面部は、前記上面側フラップおよび前記底面側フラップが重畳するようにそれぞれ折り曲げられることにより形成された薄葉紙収納箱において、前記下向きに円弧状に形成された破断用切込線は、下向きに円弧状に形成されている箇所から前記上面部側に向かって末広がりに延伸している延伸切込線を有する。
【００１２】
第１の態様によれば、薄葉紙収納箱の解体時には、下向きに円弧状に形成されている破断用切込線の内側（上面側フラップの下端部と破断用切込線とにより囲まれる部分）に指を押し込んで、破断用切込線を、底面部の中央に向かって凸状に形成された凸状先端部から上面側フラップの下端部まで破断する。その後、押し込んだ指を上面側フラップに引っ掛けて、薄葉紙収納箱の外側に上面側フラップを引き上げる（引き出す）。これにより、破断されてない残りの破断用切込線（延伸切込線の一部）が上面側フラップの下端部から底面側フラップの上端部側に向かって破断されることで、上面側フラップと接着されている部分を含む底面側フラップは、切り離される。残りの破断用切込線（延伸切込線の一部）は、上面部側に向かって末広がりに形成されているので、破断用切込線は、上面側フラップを引き上げる方向と近い方向に破断が進行することになる。そのため、上面側フラップと底面側フラップとを切り離す際に上面側フラップを引き上げるための指の力を、破断用切込線を破断する力に効率良く分配できるので、大きな引き上げ力を加えなくても、破断用切込線を容易に破断することができる。これにより、底面側フラップを破断用切込線に沿って容易に切り離すことができるので、上面側フラップと底面側フラップとは切り離し易くなる。したがって、薄葉紙収納箱をより容易に解体することができる。
【００１３】
第２の態様では、前記延伸切込線は、前記上面部側に向かって上向きに凸状に湾曲して形成されている。このような構成とすることにより、上面側フラップを引き上げる際、まず、上面側フラップの引き上げる方向と破断用切込線の破断の進行方向とがほぼ同じ向きであり一致する。そのため、上面側フラップを引き上げる力のうち、破断用切込線の破断に分配する力を小さくすることができる。よって、上面側フラップを引き上げる力を上面側フラップと側面側フラップとの接着部の分離により大きく分配することができる。
【００１４】
第３の態様では、前記延伸切込線は、前記底面側フラップの上端部まで延びている。このような構成とすることにより、破断用切込線の破断の進行方向が上面フラップの引き上げ方向と概ね一致する方向となる。そのため、上面側フラップを引き上げる力を、破断用切込線の破断に効率良く分配することができる。
【００１５】
第４の態様では、前記延伸切込線は、前記底面側フラップの側面側端部まで延びている。このような構成とすることにより、従来から用いられている上面側フラップと底面側フラップとの接着位置を殆ど変えることなく上面側フラップを引き上げる力を破断用切込線の破断に分配することができる。
【発明の効果】
【００１６】
本発明の一態様による薄葉紙収納箱は、解体時に上面側フラップと底面側フラップとを容易に切り離すことができる。
【図面の簡単な説明】
【００１７】
【図１】本発明の第１の実施形態に係る薄葉紙収納箱の一例を示す斜視図である。
【図２】本発明の第１の実施形態に係る薄葉紙収納箱の展開図である。
【図３】薄葉紙収納箱の妻面部側から見た時の下面側フラップを示す図である。
【図４】薄葉紙収納箱の妻面部の上面側フラップを引き出している状態の一例を示す図である。
【図５】他の構成の破断用切込線を形成した底面側フラップを示す図である。
【図６】本発明の第２の実施形態に係る薄葉紙収納箱の一例を示す部分斜視図である。
【図７】他の構成の切込み線を備える底面側フラップで形成された妻面部の正面図である。
【図８】他の構成の切込み線を備える底面側フラップで形成された妻面部の正面図である。
【図９】本発明の第３の実施形態に係る薄葉紙収納箱の一例を示す部分斜視図である。
【図１０】他の構成の上面側フラップで形成された妻面部を備えた薄葉紙収納箱の部分斜視図である。
【図１１】他の構成の上面側フラップで形成された妻面部を備えた薄葉紙収納箱の部分斜視図である。
【図１２】本発明の第４の実施形態に係る薄葉紙収納箱の一例を示す斜視図である。
【図１３】他の構成の破断用切込線を形成した底面側フラップを示す図である。
【図１４】他の構成の切込み線を備えた底面側フラップを示す図である。
【発明を実施するための形態】
【００１８】
以下、本発明の実施の形態について、詳細に説明する。なお、理解の容易のため、図面における各部材の縮尺は実際とは異なる場合がある。また、以下の説明において、薄葉紙収納箱の高さ方向の一方を上または上方といい、薄葉紙収納箱の高さ方向の他方を下または下方という場合がある。さらに、本実施形態では、薄葉紙として、ティシュペーパーを用いる場合について説明する。また、本明細書では、３軸方向（Ｘ軸方向、Ｙ軸方向、Ｚ軸方向）の３次元直交座標系を用い、薄葉紙収納箱の幅方向をＸ方向とし、奥行き方向をＹ方向とし、高さ方向をＺ方向とする。なお、図面は、直方体形状の薄葉紙収納箱であるが、本実施形態では、直方体形状に限らず、立方体形状を含む六面体形状を対象とする。
【００１９】
＜第１の実施形態＞
本発明の第１の実施形態に係る薄葉紙収納箱について、図面を参照して説明する。図１は、本発明の第１の実施形態に係る薄葉紙収納箱の一例を示す斜視図であり、図２は、本発明の第１の実施形態に係る薄葉紙収納箱の展開図であり、図３は、薄葉紙収納箱の妻面部側から見た時の下面側フラップを示す図である。図１〜図３に示すように、本実施形態に係る薄葉紙収納箱１０Ａは、上面部１１、底面部１２、一対の側面部１３、および一対の妻面部１４とからなる略直方体（立方体を含む）状に形成された箱体である。薄葉紙収納箱１０Ａ内の収容空間には、多数のティシュペーパーＴが積層された状態で収納されている。
【００２０】
薄葉紙収納箱１０Ａは、バージンパルプ、古紙パルプなどを原料とするコートボール紙などを用いて形成される。
【００２１】
薄葉紙収納箱１０Ａの外形寸法は、収納されるティシュペーパーＴの量や寸法などにより決定されるが、例えば、長手方向（幅）の長さは、１００〜２５０ｍｍ程度、好ましくは２００〜２５０ｍｍ程度とする。短手方向（奥行き）の長さは、１００〜１５０ｍｍ程度、好ましくは１００〜１３０ｍｍ程度とする。高さは、４０〜１５０ｍｍ程度、好ましくは４４〜６２ｍｍ程度とする。薄葉紙収納箱１０Ａの坪量は、使用に耐えうる十分な強度を確保する点から、薄葉紙収納箱１０Ａがコートボール紙で形成される場合には、薄葉紙収納箱１０Ａの坪量は、３１０〜４００ｇ／ｍ2程度が好ましい。なお、坪量とは、ＪＩＳ Ｐ ８１２４（１９９８）の坪量測定方法に準じて測定したものである。
【００２２】
薄葉紙収納箱１０Ａは、上面部１１に取出し口１６を有する。取出し口１６は、収容空間に収容されているティシュペーパーＴを上面部１１側から取り出す際の取り出し口であり、上面部１１の奥行き方向Ｙの中央から幅方向Ｘに沿って略長方形状に形成されている。使用時には、取出し口１６を通じて、収容空間に収容されているティシュペーパーＴが外部へ取り出される。なお、取出し口１６の幅方向Ｘである長さや奥行き方向Ｙである幅は、ティシュペーパーＴの大きさなどに基づいて適宜定めることができる。また、本実施形態では、取出し口１６は、薄葉紙収納箱１０Ａの上面部１１の奥行きの中間に幅方向Ｘに沿って長方形状に形成されているが、これに限定されず、ティシュペーパーＴをスムーズに取り出すことができれば、他の形状でもよい。
【００２３】
薄葉紙収納箱１０Ａは、使用前の段階では、上面部１１に、ミシン目からなる破断用切目線を介して薄葉紙収納箱１０Ａと一体となっている蓋部１７を有する。使用時には、蓋部１７を破断用切目線に沿って切り離し、上面部１１に取出し口１６を形成する。これにより、収容空間内のティシュペーパーＴは、取出し口１６から上方に取り出すことができる。なお、本実施形態において、破断用切目線は、使用時において蓋部１７を切り離す線を意味する。
【００２４】
また、上面部１１の取出し口１６には、取出し口１６を覆うように長手方向にスリット１８ａを有する樹脂製フィルム１８が設けられている。なお、樹脂製フィルム１８は、上面部１１の裏面に、取出し口１６の周囲に塗布された接着剤などにより固定されている。ティシュペーパーＴは、このスリット１８ａを通して外部に取り出される。なお、樹脂製フィルム１８の材質としては、ポリエチレンやポリプロピレンなどを用いることができるが、これらに限定されない。
【００２５】
薄葉紙収納箱１０Ａを構成する上面部１１、底面部１２および一対の側面部１３は、それぞれ、略長方形状に形成されており、折り曲げ可能に連接されている。そして、底面部１２の長手端縁には、図２に示すように、側面部１３の長手端縁と連結するための台形状の糊代部１２ａが折り曲げ線１２ｂにて折り曲げ可能に連接されている。
【００２６】
薄葉紙収納箱１０Ａは、図２に示すように、上面部１１の両側端縁から延出した上面側フラップ２１、底面部１２の両側端縁から延出した底面側フラップ２２、および一対の側面部１３の両側端縁からそれぞれ延出した一対の側面側フラップ２３を有している。上面側フラップ２１、底面側フラップ２２および側面側フラップ２３は、それぞれ、略長方形状に形成されており、内側に折り曲げ可能に連接されている。妻面部１４は、上面側フラップ２１、底面側フラップ２２、および側面側フラップ２３により形成されている。上面側フラップ２１、底面側フラップ２２、および側面側フラップ２３の各フラップを、それぞれの内側に折り曲げる。そして、底面側フラップ２２の上部側に塗布した接着剤により、底面側フラップ２２の上部側を上面側フラップ２１の下部側に接着させる。また、上面側フラップ２１の両側面側に塗布した接着剤により、上面側フラップ２１の両端側を側面側フラップ２３および底面側フラップ２２の上部側の一部に接着させる。これにより、妻面部１４が形成される。
【００２７】
薄葉紙収納箱１０Ａの成形方法は、特に限定されず、従来より公知の成形方法などを用いて形成することができる。本実施形態に係る薄葉紙収納箱１０Ａの成形方法の一例について説明する。図２に示す上面部１１、底面部１２、および一対の側面部１３をそれぞれ折り曲げる。また、糊代部１２ａを折り曲げて底面部１２と連接していない側の側面部１３の裏面の長手端の縁に糊付けして、底面部１２と側面部１３とを連結する。これにより、妻面部１４の形成されていない筒状の箱体が形成される。
【００２８】
次に、側面側フラップ２３を、対向配置される側面側フラップ２３と対向するように、それぞれ内側に折り曲げる。次に、底面側フラップ２２を折り曲げた後、上面側フラップ２１の裏面（内側面）の端部が底面側フラップ２２の外面端部に重畳するように、上面側フラップ２１を折り曲げる。次いで、上面側フラップ２１の内面の両端側に設けられた接着部Ｇ１によって上面側フラップ２１が底面側フラップ２２および側面側フラップ２３に対して接着される。底面側フラップ２２の外面端部の所定部位に設けられた接着部Ｇ２によって上面側フラップ２１が底面側フラップ２２に対して接着される。上面側フラップ２１、底面側フラップ２２、および一対の側面側フラップ２３が重畳するように取り付けられることにより、妻面部１４が形成される。これにより、図１に示す薄葉紙収納箱１０Ａが形成される。
【００２９】
本実施形態では、底面側フラップ２２は、下向き（底面部１２側）に円弧状に形成された破断用切込線Ｌ１（以下、単に、破断用切込線Ｌ１という。）を有する。破断用切込線Ｌ１は、ミシン目で形成されている。破断用切込線Ｌ１は、下向きに円弧状に形成されている箇所から上面部１１側に向かって末広がりに延伸している。これにより、薄葉紙収納箱１０Ａの解体時に上面側フラップ２１を引き上げて（引き出して）、上面側フラップ２１と底面側フラップ２２とを切り離す際、破断用切込線Ｌ１は、上面側フラップ２１を引き上げる方向と近い方向に破断が進むことになる。そのため、上面側フラップ２１を引き上げるための指の力は、破断用切込線Ｌ１を破断する力に効率良く分配される。よって、上面側フラップ２１に対して大きな引き上げ力が加えられなくても、破断用切込線Ｌ１は容易に破断されるので、上面側フラップ２１と底面側フラップ２２とは破断用切込線Ｌ１に沿って容易に切り離される。
【００３０】
本実施形態では、破断用切込線Ｌ１のうち、下向きに円弧状に形成されている箇所を円弧状切込線Ｌ１−１とし、円弧状切込線Ｌ１−１から上面部１１側に向かって末広がりに延伸して箇所を延伸切込線Ｌ１−２とする。破断用切込線Ｌ１は、円弧状切込線Ｌ１−１と延伸切込線Ｌ１−２とが変曲点Ｐで連結されている。本実施形態では、変曲点Ｐは、上面側フラップ２１の下端部２１ａよりも上側（上面部１１側）に位置している。円弧状切込線Ｌ１−１は、底面部１２の中央に向かって凸状に形成された凸状先端部２５を有する。凸状先端部２５が破断用切込線Ｌ１を破断するときの起点となり、薄葉紙収納箱１０Ａの解体時には、破断用切込線Ｌ１の凸状先端部２５の周辺を指で押圧することにより、円弧状切込線Ｌ１−１は凸状先端部２５から破断される。
【００３１】
本実施形態では、延伸切込線Ｌ１−２は、上面部１１側に向かって上向きに凸状に湾曲して形成されている。上面側フラップ２１を引き上げる際、まず、上面側フラップ２１の引き上げる方向と破断用切込線Ｌ１の破断の進行方向とがほぼ同じ向きであり一致する。そのため、上面側フラップ２１を引き上げる力のうち、破断用切込線Ｌ１の破断に分配する力を小さくすることができる。これにより、上面側フラップ２１を引き上げる力を上面側フラップ２１と底面側フラップ２２との接着部Ｇ１の分離により大きく分配することができる。
【００３２】
また、延伸切込線Ｌ１−２は、底面側フラップ２２の上端部２２ａまで延びている。破断用切込線Ｌ１の破断の進行方向が上面側フラップ２１の引き上げ方向と概ね一致する方向となる。そのため、破断用切込線Ｌ１の破断が底面側フラップ２２の上端部２２ａに至るまで、上面側フラップ２１を引き上げる力を、破断用切込線Ｌ１の破断に効率良く分配することができる。
【００３３】
なお、本実施形態では、延伸切込線Ｌ１−２は末広がりに曲線状に形成されているが、これに限定されるものではなく、直線上に形成されていてもよい。
【００３４】
次に、薄葉紙収納箱１０Ａの使用後の薄葉紙収納箱１０Ａの解体方法について説明する。
【００３５】
下向きに円弧状に形成されている破断用切込線Ｌ１の内側の領域Ｒ（上面側フラップ２１の下端部２１ａと破断用切込線Ｌ１とにより囲まれる部分）に指を押し込んで、破断用切込線Ｌ１（円弧状切込線Ｌ１−１と、延伸切込線Ｌ１−２の一部）を上面側フラップ２１の下端部２１ａまで破断する。これにより、破断用切込線Ｌ１の内側の領域Ｒを、上面側フラップ２１の下端部２１ａまで切り離す。
【００３６】
その後、図４に示すように、押し込んだ指を上面側フラップ２１の内面に引っ掛けて、薄葉紙収納箱１０Ａの外側に上面側フラップ２１を引き上げる。上面側フラップ２１の内面の両端側には、底面側フラップ２２および側面側フラップ２３と接着される接着部Ｇ１が設けられている。また、底面側フラップ２２における破断用切込線Ｌ１の内側の領域Ｒには、上面側フラップ２１の下部と重複する位置に、上面側フラップ２１と接着される接着部Ｇ２が設けられている。そのため、上面側フラップ２１を引き上げると、破断されてない残りの破断用切込線Ｌ１（延伸切込線Ｌ１−２の残り）が上面側フラップ２１の下端部２１ａから底面側フラップ２２の上端部２２ａ側に向かって破断される。これにより、上面側フラップ２１と接着されている部分（接着部Ｇ２の部分）を含む底面側フラップ２２は、切り離される。また、このとき、上面側フラップ２１が底面側フラップ２２および側面側フラップ２３と接着している接着部Ｇ１も剥がされ、上面側フラップ２１と底面側フラップ２２とが切り離される。これにより、上面側フラップ２１と底面側フラップ２２とは、破断用切込線Ｌ１に沿って切り離され、妻面部１４が開口する。
【００３７】
本実施形態では、延伸切込線Ｌ１−２は、上面部１１側に向かって末広がりに曲線状に形成されているので、延伸切込線Ｌ１−２は、上面側フラップ２１を引き上げる方向と近い方向に破断が進行する。そのため、上面側フラップ２１と底面側フラップ２２とを切り離す際に上面側フラップ２１を引き上げるための指の力は、延伸切込線Ｌ１−２を破断する力に効率良く分配することができる。よって、上面側フラップ２１を引き上げる際に大きな力を加えなくても、延伸切込線Ｌ１−２を容易に破断することができる。底面側フラップ２２は破断用切込線Ｌ１に沿って切り離されるので、上面側フラップ２１と底面側フラップ２２とを容易に切り離すことができる。
【００３８】
一方の妻面部１４の上面側フラップ２１と底面側フラップ２２とを切り離した後、他方の妻面部１４も、上記と同様にして妻面部１４の上面側フラップ２１と底面側フラップ２２とを切り離す。これにより、薄葉紙収納箱１０Ａを筒状にすることができる。その後、薄葉紙収納箱１０Ａを折り畳むことで、扁平に潰した状態で廃棄することができる。なお、一対の妻面部１４は、同時に、上面側フラップ２１と底面側フラップ２２とに切り離してもよい。
【００３９】
このように、本実施形態に係る薄葉紙収納箱１０Ａによれば、薄葉紙収納箱１０Ａの解体時に妻面部１４の上面側フラップ２１と底面側フラップ２２とを小さい力で容易に切り離すことができるので、薄葉紙収納箱１０Ａの解体をより容易に行うことができる。したがって、高齢者などのように力の弱い人でも薄葉紙収納箱１０Ａの解体を容易に行うことができる。
【００４０】
なお、本実施形態では、破断用切込線Ｌ１は、底面側フラップ２２の上端部２２ａまで延びるように形成されているが、上面側フラップ２１が容易に引き上げることができれば、特に限定されない。例えば、図５に示すように、破断用切込線Ｌ１は、底面側フラップ２２の側面側端部２２ｂまで延びていてもよい。すなわち、破断用切込線Ｌ１は、円弧状切込線Ｌ１−１と、円弧状切込線Ｌ１−１から底面側フラップ２２の側面側端部２２ｂ側に向かって末広がりに延伸している延伸切込線Ｌ１−３とで構成されていてもよい。この場合でも、薄葉紙収納箱１０Ａの解体時に、上面側フラップ２１を引き上げる際、延伸切込線Ｌ１−３の破断は、末広がりに湾曲した箇所に至るまでは、上述したように、妻面部１４の上面側フラップ２１と底面側フラップ２２とを小さい力で容易に切り離すことができる。また、延伸切込線Ｌ１−３が、末広がりに湾曲している箇所から水平になっている箇所においては、それまでの破断の勢いを利用する。これにより、上面側フラップ２１と接着されている部分（接着部Ｇ２の部分）を含む底面側フラップ２２は上面側フラップ２１と共に上方（または前方）に持ち上げられる。そのため、水平になっている箇所も、小さい力で破断することができる。
【００４１】
＜第２の実施形態＞
本発明の第２の実施形態に係る薄葉紙収納箱について、図面を参照して説明する。なお、上記実施形態と同様の機能を有する部材には、同一の符号を付して詳細な説明は省略する。本実施形態に係る薄葉紙収納箱は、第１の実施形態に係る薄葉紙収納箱において、破断用切込線の内側の領域（上面側フラップの下端部と破断用切込線とにより囲まれる部分）をより小さい力で押し込んで、破断用切込線を破断させる形態を加えたものである。
【００４２】
図６は、本発明の第２の実施形態に係る薄葉紙収納箱の一例を示す斜視図である。図６に示すように、本実施形態に係る薄葉紙収納箱１０Ｂは、図１に示す本発明の第１の実施形態に係る薄葉紙収納箱１０Ａの底面側フラップ２２に、上面部１１側に凸状の切込み線Ｌ２を設けたものである。切込み線Ｌ２は、破断用切込線Ｌ１の内側の領域Ｒ（上面側フラップ２１の下端部２１ａと破断用切込線Ｌ１とにより囲まれる部分）に設けられている。
【００４３】
底面側フラップ２２の破断用切込線Ｌ１の内側の領域Ｒに切込み線Ｌ２を設けることで、破断用切込線Ｌ１の内側の領域Ｒは、指の押圧方向に変形し易くなる。そのため、破断用切込線Ｌ１の内側の領域Ｒを指で押圧して破断用切込線Ｌ１を破断する際、より小さい力で破断用切込線Ｌ１の内側の領域Ｒを薄葉紙収納箱１０Ｂの内側に押し込み易くなる。
【００４４】
切込み線Ｌ２は、接着部Ｇ２と重ならないように配置することが好ましい。本実施形態では、切込み線Ｌ２は、破断用切込線Ｌ１の内側の領域Ｒに、凸状に斜めに形成されている。これにより、上面側フラップ２１と底面側フラップ２２との間の重なり部分に塗布した接着剤の位置が切込み線Ｌ２側にずれても、切込み線Ｌ２が接着剤で覆われることを低減することができる。
【００４５】
さらに、切込み線Ｌ２の端部は、破断用切込線Ｌ１と間隔を空けて形成されている。これにより、破断用切込線Ｌ１を破断する際に、破断用切込線Ｌ１の破断に連動して切込み線Ｌ２も破断することを抑制することができる。
【００４６】
よって、本実施形態に係る薄葉紙収納箱１０Ｂによれば、薄葉紙収納箱１０Ｂの解体時に、まず破断用切込線Ｌ１の内側の領域Ｒを小さい力で押し込むことができると共に、妻面部１４の上面側フラップ２１と底面側フラップ２２とを小さい力で切り離すことができる。このように、本実施形態に係る薄葉紙収納箱１０Ｂにおいては、破断用切込線Ｌ１の破断およびそれに続く上面側フラップ２１と底面側フラップ２２との分離の一連の動作をより小さい力で行うことができる。したがって、本実施形態に係る薄葉紙収納箱１０Ｂは、薄葉紙収納箱１０Ｂの解体をより容易に行うことができる。
【００４７】
なお、本実施形態では、切込み線Ｌ２は、断続して形成されているが、これに限定されるものではなく、例えば、図７に示すように、切込み線Ｌ２は連続して形成されていてもよい。
【００４８】
本実施形態では、切込み線Ｌ２は、湾曲して形成されているが、これに限定されるものではなく、例えば、図８に示すように、切込み線Ｌ２は、先端が先細りとなるように直線状に形成されていてもよい。
【００４９】
＜第３の実施形態＞
本発明の第３の実施形態に係る薄葉紙収納箱について、図面を参照して説明する。なお、上記実施形態と同様の機能を有する部材には、同一の符号を付して詳細な説明は省略する。本実施形態に係る薄葉紙収納箱は、第１の実施形態に係る薄葉紙収納箱において、上面側フラップの下端部を指にフィットし易くして、破断用切込線を破断させる形態を加えたものである。
【００５０】
図９は、本発明の第３の実施形態に係る薄葉紙収納箱の一例を示す斜視図である。図９に示すように、本実施形態に係る薄葉紙収納箱１０Ｃは、図１に示す本発明の第１の実施形態に係る薄葉紙収納箱１０Ａの上面側フラップ２１に、上向きに円弧状に形成された切り欠き部３１を有する。切り欠き部３１は、破断用切込線Ｌ１の円弧状の位置（円弧状切込線Ｌ１−１）と対応する位置に設けられている。
【００５１】
切り欠き部３１は、円弧状に形成されているので、指の形状にフィットしやすい。そのため、底面側フラップ２２の破断用切込線Ｌ１の内側の領域Ｒ（上面側フラップ２１の下端部２１ａと破断用切込線Ｌ１とにより囲まれる部分）に指を押し込む時に、指に上面側フラップ２１の下端部２１ａが食い込み難い。また、薄葉紙収納箱１０Ａの外側に上面側フラップ２１を引き上げて、上面側フラップ２１と底面側フラップ２２とを切り離す時も、指に上面側フラップ２１の下端部２１ａが食い込み難い。よって、指に負担（場合によっては痛み）を感じ難くすることができる。すなわち、指に優しいので、破断用切込線Ｌ１は破断させ易くなる。
【００５２】
また、上面側フラップ２１に切り欠き部３１を形成することで、上面側フラップ２１の下端部２１ａより上面部１１側に破断用切込線Ｌ１の内側の領域Ｒを形成することができる。そのため、薄葉紙収納箱１０Ｃの高さが低くなっても、破断用切込線Ｌ１の内側の領域Ｒを押し込み易い状態、および上面側フラップ２１と底面側フラップ２２との切り離し易い状態を維持することができる。
【００５３】
切り欠き部３１の最大幅ｗに対する最大高さｈの比（ｈ／ｗ）は、０．０３〜０．６０であることが好ましい。ｈ／ｗがこの範囲内であれば、破断用切込線Ｌ１の内側の領域Ｒに指を押し込む際、および妻面部１４の上面側フラップ２１と底面側フラップ２２とを切り離す際、指が切り欠き部３１によりフィットし易くなるので、指の負担をより小さくすることができる。
【００５４】
よって、本実施形態に係る薄葉紙収納箱１０Ｃによれば、薄葉紙収納箱１０Ｃの解体時に、まず破断用切込線の内側の領域を指で押し込む時、および妻面部１４の上面側フラップ２１と底面側フラップ２２とを切り離す時に、指の負担を小さくしながら破断用切込線Ｌ１を破断することができる。そして、本実施形態に係る薄葉紙収納箱１０Ｃによれば、小さい力で妻面部１４の上面側フラップ２１と底面側フラップ２２とを切り離すことができる。したがって、本実施形態に係る薄葉紙収納箱１０Ｃは、薄葉紙収納箱１０Ｃの解体をより行い易くすることができる。
【００５５】
なお、本実施形態では、上面側フラップ２１の下端部２１ａが直線で形成されているが、これに限定されるものではなく、例えば、図１０および図１１に示すように、上面側フラップ２１の下端部２１ａは、波状に形成されていてもよい。この場合、切り欠き部３１は、波の一部を構成する。
【００５６】
＜第４の実施形態＞
本発明の第４の実施形態に係る薄葉紙収納箱について、図面を参照して説明する。なお、上記実施形態と同様の機能を有する部材には、同一の符号を付して詳細な説明は省略する。本実施形態に係る薄葉紙収納箱は、第１の実施形態に係る薄葉紙収納箱において、破断用切込線の内側の領域（上面側フラップの下端部と破断用切込線とにより囲まれる部分）をより小さい力で押し込みつつ、さらに上面側フラップを指にフィットしやすい形態として、破断用切込線を破断させる形態を加えたものである。
【００５７】
図１２は、本発明の第４の実施形態に係る薄葉紙収納箱の一例を示す斜視図である。図１２に示すように、本実施形態に係る薄葉紙収納箱１０Ｄは、上記の図１に示す第１の実施形態に係る薄葉紙収納箱１０Ａに、上記の図６に示す第２の実施形態に係る薄葉紙収納箱１０Ｂの切込み線Ｌ２と、上記の図９に示す第３の実施形態に係る薄葉紙収納箱１０Ｃの切り欠き部３１とを備えたものである。すなわち、本実施形態に係る薄葉紙収納箱１０Ｄは、底面側フラップ２２に破断用切込線Ｌ１および切込み線Ｌ２を備えると共に、上面側フラップ２１に切り欠き部３１を備えている。
【００５８】
よって、本実施形態に係る薄葉紙収納箱１０Ｄによれば、薄葉紙収納箱１０Ｄの解体時に、まず破断用切込線Ｌ１の内側の領域Ｒを小さい力で押し込むことができると共に、小さい力で妻面部１４の上面側フラップ２１と底面側フラップ２２とを切り離すことができる。そして、本実施形態に係る薄葉紙収納箱１０Ｄによれば、破断用切込線Ｌ１の内側の領域Ｒに指を押し込む時、および妻面部１４の上面側フラップ２１と底面側フラップ２２とを切り離す時に、指の負担を小さくしながら破断用切込線Ｌ１を破断することができる。したがって、本実施形態に係る薄葉紙収納箱１０Ｄは、薄葉紙収納箱１０Ｄの解体における一連の作業（動作）を、より指に優しく、かつ小さい力で容易に行うことができる。
【００５９】
以上、上記各実施形態では、薄葉紙としてティシュペーパーを用いて説明したが、これに限定されるものではなく、ペーパータオル、キッチンペーパー、または掃除用ワイプなど他の薄葉紙も用いることができる。
【００６０】
なお、収容空間に収容されるティシュペーパーＴの大きさは、例えば、上面および底面の形状が、６０〜１３０ｍｍ×１５０〜２５０ｍｍ、高さが２０〜１１０ｍｍ程度である。ティシュペーパーのプライ数は、２プライであり、その１プライ当たりの坪量は９．０〜２５．０ｇ／ｍ２、より好ましくは１０．０〜１５．０ｇ／ｍ２である。また、紙厚は、２プライで１００〜１６０μｍであり、より好ましくは１２０〜１４０μｍである。なお、坪量とは、ＪＩＳ  Ｐ  ８１２４（１９９８）に基づいて測定した値を意味する。紙厚の測定方法としては、例えば、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて、２プライの状態で測定する。具体的には、プランジャーと測定台との間にゴミやチリなどがないことを確認して、プランジャーを測定台に設置する。その後、前記ダイヤルシックネスゲージのメモリを移動させて、ゼロ点を合わせる。次いで、プランジャーを上げて試料を試験台の上におき、プランジャーをゆっくりと下ろし、そのときのゲージを読み取る。このとき、プランジャーをのせるだけとする。プランジャーの端子は、金属製で直径１０ｍｍ程度の円形の平面が紙平面に対し垂直に当たるようにする。この紙厚の測定時の荷重は、約７０ｇｆである。なお、紙厚は、測定を１０回行って得られる平均値とする。
【００６１】
以上の通り、実施形態を説明したが、上記各実施形態は、例として提示したものであり、上記各実施形態により本発明が限定されるものではない。上記各実施形態は、その他の様々な形態で実施されることが可能であり、発明の要旨を逸脱しない範囲で、種々の組み合わせ、省略、置き換え、変更などを行うことが可能である。これら実施形態やその変形は、発明の範囲や要旨に含まれると共に、特許請求の範囲に記載された発明とその均等の範囲に含まれる。
【実施例】
【００６２】
以下、実施例および比較例を示して実施形態を更に具体的に説明するが、実施形態はこれらの実施例により限定されるものではない。
【００６３】
＜実施例１：上面側フラップ２１の引張強度の検討＞
［実施例１−１］
図１に示す第１の実施形態に係る薄葉紙収納箱（原紙が坪量３１０ｇ／ｍ２の裏ネズコートボール紙、高さ４４ｍｍ、幅２２９ｍｍ、奥行き１１０ｍｍ）を準備した。そして、妻面部１４の破断用切込線Ｌ１の内側の領域Ｒに指を押し込んで、破断用切込線Ｌ１の一部を破断した。その後、破断用切込線Ｌ１の内側の領域Ｒを上面側フラップ２１の裏面に折り返した。その後、折り返した上面側フラップ２１の折り目にダブルクリップ（狭口幅１３ｍｍ、奥行７ｍｍ）を挟み固定した。そして、デジタルフォースゲージ（Ｚ２−２０Ｎ、ＩＭＡＤＡ社製）にカギ状標準付属アタッチメントＡ−１（巾１２ｍｍ、小鉤）のカギ状の先端が測定値の表示面を向くように取り付け、ダブルクリップの２つある摘み部分のうち、箱外側に位置する摘み部分に引っ掛けた。その後、この上面側フラップ２１が上向きになるように、薄葉紙収納箱のもう一方の底面側フラップ２２および側面部１３を浮き上がらないよう押さえた状態で水平で平坦なテーブルの上に接するように薄葉紙収納箱を設置し、固定状態にした。ここで、引張り強度の測定における固定状態とは、破断用切込線Ｌ１の内側の領域Ｒから奥行き方向の双方に２０ｍｍの位置にあたる底面側フラップ２２上の２か所を手の指で押さえて、もう一方の妻面部１４が水平で平坦なテーブルから測定時でも離れないようにすることである。次に、固定状態から薄葉紙収納箱の上面側フラップ２１に対して上面部１１側から上方に約４５°の方向と平行にデジタルフォースゲージを一気に引っ張った。ここで、引張り強度の測定における一気にとは、引張始めから終わりまでに要する時間を１秒とする引張り方法を指す。そして、破断用切込線Ｌ１の残りの部分が破断して上面側フラップ２１と底面側フラップ２２とが分離された時点のデジタルフォースゲージの引張り強度（ｋｇｆ）を測定した。測定は７回行い、７回分の引張り強度の値と、その平均値を求めた。
【００６４】
［実施例１−２］
図１に示す第１の実施形態に係る薄葉紙収納箱を、図５に示す破断用切込線を備えた底面側フラップ２２を有する薄葉紙収納箱に変更したこと以外は、実施例１−１と同様にして行った。
【００６５】
［比較例１］
図１に示す第１の実施形態に係る薄葉紙収納箱を、図１３に示す破断用切込線を備えた底面側フラップ２２を有する薄葉紙収納箱に変更したこと以外は、実施例１−１と同様にして行った。
【００６６】
各実施例および比較例の７回分の引張り強度の値、およびその平均値を表１に示す。
【００６７】
【表１】
2018154381.tif 000003
【００６８】
実施例１−１および１−２の薄葉紙収納箱では、いずれも、上面側フラップ２１の引張り強度の平均値が約０．９４以下であったことが確認された。一方、比較例１の薄葉紙収納箱では、上面側フラップ２１の引張り強度の平均値が約１．２以上であったことが確認された。よって、破断用切込線Ｌ１が、下向きに円弧状に形成されている箇所から上向きに凸状に湾曲しながら末広がりとなるように底面側フラップ２２の上端部２２ａまで延びるように形成されることで、上面側フラップ２１の引張り強度は小さくできる。そのため、薄葉紙収納箱の解体時には、妻面部１４の上面側フラップ２１と底面側フラップ２２とを小さい力で容易に切り離すことができる。よって、本実施形態に係る薄葉紙収納箱を用いれば、大きな力を加えなくても、薄葉紙収納箱の解体を容易に行うことができるといえる。
【００６９】
＜実施例２：破断用切込線の凸状先端部の押し込み易さの検討＞
［実施例２−１］
図６に示す第２の実施形態に係る薄葉紙収納箱（原紙が坪量３１０ｇ／ｍ２の裏ネズコートボール紙、高さ４４ｍｍ、幅２２９ｍｍ、奥行き１１０ｍｍ）を準備した。そして、妻面部１４が上向きとなるように、薄葉紙収納箱のもう一方の妻面部１４を水平で平坦なテーブルの上に接するように薄葉紙収納箱を設置し、固定状態にした。ここで、押し込み強度の測定における固定状態とは、上向きとなるようにした妻面部１４上の奥行き方向の両端部を手の指で押さえて、測定中にもう一方の妻面部１４が水平で平坦なテーブルから測定時でも離れないようにする。その後、デジタルフォースゲージにカギ状標準付属アタッチメントＡ−１（巾１２ｍｍ、小鉤）のカギ状の先端を測定値の表示面に対し並行に取り付けた。そして、このカギ状標準付属アタッチメントＡ−１の最も先端部分（デジタルフォースゲージから最も離れた部分）を、薄葉紙収納箱を固定した状態で、妻面部１４の底面側フラップ２２と破断用切込線Ｌ１の凸状先端部２５より２ｍｍ内側の位置に当てた。そして、デジタルフォースゲージで下方向に一気に押し込んだ。ここで、押し込み強度の測定における一気にとは、押し込み始めから終わりまでに要する時間を０.５秒とする押し込み方法を指す。破断用切込線Ｌ１が破断した時点のデジタルフォースゲージの押し込み強度を測定した。測定は７回行い、７回分の押し込み強度の値、およびその平均値を求めた。
【００７０】
［実施例２−２］
図６に示す第２の実施形態に係る薄葉紙収納箱を、図７に示す破断用切込線Ｌ１および切込み線Ｌ２を備えた底面側フラップ２２を有する薄葉紙収納箱に変更したこと以外は、実施例２−１と同様にして行った。
【００７１】
［実施例２−３］
図６に示す第２の実施形態に係る薄葉紙収納箱を、図８に示す破断用切込線Ｌ１および切込み線Ｌ２を備えた薄葉紙収納箱に変更したこと以外は、実施例２−１と同様にして行った。
【００７２】
［比較例２−１］
図６に示す第２の実施形態に係る薄葉紙収納箱を、図１に示す第１の実施形態に係る薄葉紙収納箱に変更したこと以外は、実施例２−１と同様にして行った。
【００７３】
［比較例２−２］
図６に示す第２の実施形態に係る薄葉紙収納箱を、図１４に示す破断用切込線Ｌ１および切込み線Ｌ２を備えた底面側フラップ２２を有する薄葉紙収納箱に変更したこと以外は、実施例２−１と同様にして行った。
【００７４】
各実施例および比較例の７回分の押し込み強度の値、およびその平均値を表２に示す。
【００７５】
【表２】
2018154381.tif 000004
【００７６】
実施例２−１〜２−３の薄葉紙収納箱では、いずれも、上面側フラップ２１の押し込み強度の平均値が０．５８以下であったことが確認された。一方、比較例２−１および２−２の薄葉紙収納箱では、上面側フラップ２１の引張り強度が０．６８以上であったことが確認された。よって、破断用切込線Ｌ１に加え、さらに、破断用切込線Ｌ１の内側に切込み線Ｌ２を上方に凸状に湾曲しながら形成することで、解体時に破断用切込線Ｌ１の内側の領域Ｒを押し込み易くすることができる。したがって、本実施形態に係る薄葉紙収納箱を用いれば、破断用切込線Ｌ１の内側の領域Ｒをより小さい力で押し込むことができるので、大きな力を加えなくても、薄葉紙収納箱の解体をさらに容易に行うことができるといえる。
【符号の説明】
【００７７】
１０Ａ〜１０Ｃ  薄葉紙収納箱
１１  上面部
１２  底面部
１３  側面部
１４  妻面部
１６  取出し口
２１  上面側フラップ
２１ａ  下端部
２２  底面側フラップ
２２ａ  上端部
２２ｂ  側面側端部
２３  側面側フラップ
３１  切り欠き部
Ｌ１  破断用切込線
Ｌ１−１  円弧状切込線
Ｌ１−２、Ｌ１−３  延伸切込線
Ｌ２  切込み線
Ｒ  破断用切込線の内側の領域
Ｔ  ティシュペーパー
【図１】
2018154381.tif 000005
【図２】
2018154381.tif 000006
【図３】
2018154381.tif 000007
【図４】
2018154381.tif 000008
【図５】
2018154381.tif 000009
【図６】
2018154381.tif 000010
【図７】
2018154381.tif 000011
【図８】
2018154381.tif 000012
【図９】
2018154381.tif 000013
【図１０】
2018154381.tif 000014
【図１１】
2018154381.tif 000015
【図１２】
2018154381.tif 000016
【図１３】
2018154381.tif 000017
【図１４】
2018154381.tif 000018